(57)【要約】【課題】点発光の光源を用いながらも、面発光を実現できる車両用灯具を提供する。【解決手段】固定側テールランプ１６は、固定側ＬＥＤ３０と、固定側ＬＥＤ３０を搭載するための固定側基板３２と、固定側ＬＥＤ３０からの光を灯具前方に反射する固定側リフレクタ３８と、固定側リフレクタ３８からの反射光を透過する固定側第２インナーレンズ３６とを備える。固定側リフレクタ３８は、拡散ステップが形成された反射面を有する。固定側第２インナーレンズ３６は、０．５ｍｍ以下のピッチを有する拡散ステップが形成された入射面および／または出射面を有する。【選択図】図３
2015076249.tif 000002
【特許請求の範囲】
【請求項１】
光源を搭載するための光源搭載部と、
前記光源からの光を灯具前方に反射するリフレクタであって、拡散ステップが形成された反射面を有するリフレクタと、
前記リフレクタからの反射光を透過するインナーレンズであって、０．５ｍｍ以下のピッチを有する拡散ステップが形成された入射面および／または出射面を有するインナーレンズと、
を備えることを特徴とする車両用灯具。
【請求項２】
前記リフレクタに形成された拡散ステップのピッチは、２ｍｍ以下であることを特徴とする請求項１に記載の車両用灯具。
【請求項３】
前記光源からの光を前記リフレクタに導くための複数の反射面を有する追加リフレクタをさらに備え、
前記追加リフレクタの各反射面は、前記リフレクタの異なる領域に反射光が照射されるよう構成されることを特徴とする請求項１または２に記載の車両用灯具。
【請求項４】
前記光源から前記リフレクタに向かう光が透過する追加インナーレンズをさらに備え、該追加インナーレンズは、０．５ｍｍ以下のピッチを有する拡散ステップが形成された入射面および／または出射面を有することを特徴とする請求項１から３のいずれかに記載の車両用灯具。
【発明の詳細な説明】
【技術分野】
【０００１】
本発明は、車両用灯具に関し、特にＬＥＤ等の点状に発光する光源を用いた車両用灯具に関する。
【背景技術】
【０００２】
従来より、ＬＥＤ等の半導体発光素子を光源として用いた車両用灯具が知られている。例えば特許文献１には、ＬＥＤと、該ＬＥＤから出射した光を屈折して前方に照射するレンズを備える車両用灯具が開示されている。
【先行技術文献】
【特許文献】
【０００３】
【特許文献１】特開２０１０−１７７０６４号公報
【発明の概要】
【発明が解決しようとする課題】
【０００４】
ＬＥＤは、通常、発光面に垂直な方向に出射される光の強度が特に高い。従って、ＬＥＤを用いた車両用灯具は、点状に発光するＬＥＤが目立つ、いわゆる点発光となるのが一般的である。しかしながら、近年、ＬＥＤを用いた車両用灯具においても、発光面を均一に発光させる面発光に対する要求が高まっている。
【０００５】
本発明はこうした状況に鑑みてなされたものであり、その目的は、点発光の光源を用いながらも、面発光を実現できる車両用灯具を提供することにある。
【課題を解決するための手段】
【０００６】
上記課題を解決するために、本発明のある態様の車両用灯具は、光源を搭載するための光源搭載部と、光源からの光を灯具前方に反射するリフレクタであって、拡散ステップが形成された反射面を有するリフレクタと、リフレクタからの反射光を透過するインナーレンズであって、０．５ｍｍ以下のピッチを有する拡散ステップが形成された入射面および／または出射面を有するインナーレンズとを備える。
【０００７】
リフレクタに形成された拡散ステップのピッチは、２ｍｍ以下であってもよい。
【０００８】
光源からの光をリフレクタに導くための複数の反射面を有する追加リフレクタをさらに備えてもよい。追加リフレクタの各反射面は、リフレクタの異なる領域に反射光が照射されるよう構成されてもよい。
【０００９】
光源からリフレクタに向かう光が透過する追加インナーレンズをさらに備え、該追加インナーレンズは、０．５ｍｍ以下のピッチを有する拡散ステップが形成された入射面および／または出射面を有してもよい。
【発明の効果】
【００１０】
本発明によれば、点発光の光源を用いながらも、面発光を実現できる車両用灯具を提供できる。
【図面の簡単な説明】
【００１１】
【図１】本発明の実施形態に係るリアコンビネーションランプの概略正面図である。
【図２】図１に示すリアコンビネーションランプの水平断面図である。
【図３】図１に示すリアコンビネーションランプの垂直断面図である。
【図４】インナーレンズの入射面の一部の斜視図である。
【図５】図５（ａ）はインナーレンズの一部の正面図であり、図５（ｂ）はインナーレンズの一部の断面図である。
【図６】インナーレンズに形成されるステップの変形例を示す図である。
【発明を実施するための形態】
【００１２】
以下、図面を参照して本発明の実施形態に係る車両用灯具について詳細に説明する。なお、本明細書において「上」、「下」、「前」、「後」、「左」、「右」、「内」、「外」等の方向を表す用語が用いられる場合、それらは車両用灯具が車両に装着されたときの姿勢における方向を意味する。
【００１３】
図１は、本発明の実施形態に係るリアコンビネーションランプ１００の概略正面図である。図２は、図１に示すリアコンビネーションランプ１００の水平断面図（Ｘ−Ｘ断面図）である。図３は、図１に示すリアコンビネーションランプ１００の垂直断面図（Ｙ−Ｙ断面図）である。
【００１４】
図１に示すリアコンビネーションランプ１００は、車両後部の左右に１灯ずつ配置されるものであり、その構造は実質的に左右同等である。従って、ここでは代表して車両右側に配置されるリアコンビネーションランプの構造を説明する。
【００１５】
本実施形態において、リアコンビネーションランプ１００は、車体本体後部に装着される固定側灯具ユニット１０２と、車体のトランクリッドに装着される可動側灯具ユニット１０４とから構成される。リアコンビネーションランプ１００が車両に装着された状態において、固定側灯具ユニット１０２は車体本体に対して固定されており、一方、可動側灯具ユニット１０４は、トランクリッドの開閉に伴って車体本体に対して上下に移動可能である。
【００１６】
固定側灯具ユニット１０２は、固定側ランプボディ１０と、固定側ランプボディ１０の前面開口部を覆う固定側アウターカバー１２とを備える。固定側ランプボディ１０と固定側アウターカバー１２は、固定側灯具ユニット１０２の固定側灯室１４を形成している。図１に示すように、この固定側灯室１４内には、固定側テールランプ１６と、ターンシグナルランプ１８が設けられている。
【００１７】
可動側灯具ユニット１０４は、可動側ランプボディ２０と、可動側ランプボディ２０の前面開口部を覆う可動側アウターカバー２２とを備える。可動側ランプボディ２０と可動側アウターカバー２２は、可動側灯具ユニット１０４の可動側灯室２４を形成している。図１に示すように、この可動側灯室２４内には可動側テールランプ２６と、バックアップランプ２８が設けられている。
【００１８】
リアコンビネーションランプ１００において、ターンシグナルランプ１８およびバックアップランプ２８の構造は特に限定されず、例えばバルブやＬＥＤ等の光源から出射された光をリフレクタで反射するリフレクタ型の灯具を用いることができる。なお、図２，図３の断面図においては、ターンシグナルランプ１８、バックアップランプ２８の図示を省略している。
【００１９】
本実施形態に係るリアコンビネーションランプ１００において、テールランプは、固定側灯具ユニット１０２に設けられた固定側テールランプ１６と、可動側灯具ユニット１０４に設けられた可動側テールランプ２６とから構成されている。固定側ランプボディ１０と可動側テールランプ２６は、別体の灯具ユニットとして構成されているが、同期して点消灯される。本実施形態において、固定側テールランプ１６は正面視においてＬ字状の発光面を有し、可動側テールランプ２６は正面視において横長長方形状の発光面を有する。固定側テールランプ１６と可動側テールランプ２６は、車両のトランクリッドが閉じた状態において発光面が連続的になるよう配置される。
【００２０】
まず、固定側テールランプ１６について説明する。固定側テールランプ１６は、光源としての４個の固定側ＬＥＤ３０と、固定側ＬＥＤ３０を搭載する固定側基板３２と、固定側第１インナーレンズ３４と、固定側第２インナーレンズ３６と、固定側リフレクタ３８とを備える。
【００２１】
本実施形態において、固定側ＬＥＤ３０が搭載された固定側基板３２は、図３に示すように、固定側ランプボディ１０の下方部１０ａ内に、固定側ＬＥＤ３０の発光面が斜め上方を向くように配置されている。固定側ＬＥＤ３０は、固定側灯室１４内の後方部に位置する固定側リフレクタ３８に向けて光を照射する。なお、固定側ランプボディ１０の下方部１０ａは、図１に示すように正面視において固定側アウターカバー１２から露出しているが、車両装着時においては車体の内側に隠れる。
【００２２】
固定側第１インナーレンズ３４は、固定側ＬＥＤ３０の上方に、固定側ＬＥＤ３０から固定側リフレクタ３８に向かう光が透過するように配置されている。本実施形態では、固定側第１インナーレンズ３４は、図３に示すように固定側ＬＥＤ３０からの光が斜めに入射するよう配置されている。固定側第１インナーレンズ３４の入射面３４ａおよび／または出射面３４ｂには、透過する光を拡散するための拡散ステップが形成されている。本実施形態において、この拡散ステップは、０．５ｍｍ以下のピッチを有する。固定側第１インナーレンズ３４を透過した光は、固定側リフレクタ３８に向かう。
【００２３】
固定側リフレクタ３８は、上記のように固定側灯室１４内の後方部に位置し、固定側第１インナーレンズ３４からの光を灯具前方に反射する。固定側リフレクタ３８の反射面３８ａには、反射する光を拡散するための拡散ステップが形成されている。この拡散ステップは、格子状の段差面で構成され、２ｍｍ以下のピッチを有する。
【００２４】
固定側第２インナーレンズ３６は、固定側灯室１４内の前方部に、固定側リフレクタ３８からの反射光を透過するように配置されている。固定側第２インナーレンズ３６の入射面３６ａおよび／または出射面３６ｂには、透過する光を拡散するための拡散ステップが形成されている。本実施形態において、この拡散ステップは、０．５ｍｍ以下のピッチを有する。固定側第２インナーレンズ３６を透過した光は、固定側アウターカバー１２を介して灯具前方に照射される。
【００２５】
以上のように構成された固定側灯具ユニット１０２において、固定側ＬＥＤ３０から出射した光は、固定側第１インナーレンズ３４を透過する際に拡散する。この固定側第１インナーレンズ３４で拡散した光は、固定側リフレクタ３８で反射する際にさらに拡散する。そして、固定側リフレクタ３８で反射した光は、固定側第２インナーレンズ３６を透過する際にさらに拡散し、固定側アウターカバー１２を介して灯具前方に照射される。このように、本実施形態に係る固定側灯具ユニット１０２によれば、固定側ＬＥＤ３０による点発光を、固定側第１インナーレンズ３４、固定側リフレクタ３８および固定側第２インナーレンズ３６を用いることにより面発光に変換することができる。
【００２６】
また、本実施形態に係る固定側灯具ユニット１０２では、固定側ＬＥＤ３０は、灯具後方斜め上方に光を出射するように配置されている。これにより、図３に示すように、目線方向から固定側ＬＥＤ３０の点発光を視認できないようにしている。また、固定側ＬＥＤ３０自体を直接視認できないように、図３に示すように固定側ＬＥＤ３０の上方にエクステンション４０を設けてもよい。
【００２７】
次に、可動側テールランプ２６について説明する。可動側テールランプ２６は、可動側第１ＬＥＤ４２と、可動側第２ＬＥＤ４３と、可動側第１ＬＥＤ４２を搭載する可動側第１基板４４と、可動側第２ＬＥＤ４３を搭載する可動側第２基板４５と、可動側第１リフレクタ４６と、可動側第２リフレクタ４７と、可動側インナーレンズ４８とを備える。
【００２８】
本実施形態において、可動側第１ＬＥＤ４２が搭載された可動側第１基板４４は、図２に示すように、可動側灯室２４内の灯具後方左端部に配置されている。また、可動側第２ＬＥＤ４３が搭載された可動側第２基板４５は、可動側第１基板４４よりも灯具前方に配置されている。
【００２９】
可動側第１リフレクタ４６は、複数の反射面を有する。すなわち、可動側第１リフレクタ４６は、可動側第１ＬＥＤ４２からの光を可動側第２リフレクタ４７に導くための第１反射面４６ａと、可動側第２ＬＥＤ４３からの光を可動側第２リフレクタ４７に導くための第２反射面４６ｂとを有する。可動側第１リフレクタ４６の第１反射面４６ａおよび第２反射面４６ｂは、可動側第２リフレクタ４７の反射面の異なる領域に反射光が照射されるよう構成される。すなわち、第１反射面４６ａは、可動側第２リフレクタ４７における光源に近い第１領域４７ａに可動側第１ＬＥＤ４２からの光が照射されるよう構成され、一方、第２反射面４６ｂは、可動側第２リフレクタ４７における光源から遠い第２領域４７ｂに可動側第２ＬＥＤ４３からの光が照射されるよう構成される。なお、第１領域４７ａと第２領域４７ｂは、一部が重なり合っていてもよい。このような光の照射を実現するために、本実施形態では、第１反射面４６ａと第２反射面４６ｂとが、灯具の奥行き方向に２段積み重ねられた配置となっている。すなわち、図２に示すように、第１反射面４６ａの灯具前方に第２反射面４６ｂが配置される構成となっている。
【００３０】
可動側第２リフレクタ４７は、可動側灯室２４内の後方部に位置し、可動側第１リフレクタ４６からの光を灯具前方に反射する。すなわち、可動側第２リフレクタ４７の反射面の第１領域４７ａは、第１反射面４６ａからの光を灯具前方に反射し、一方、可動側第２リフレクタ４７の反射面の第２領域４７ｂは、第２反射面４６ｂからの光を灯具前方に反射する。可動側第２リフレクタ４７の反射面の第１領域４７ａおよび第２領域４７ｂには、反射する光を拡散するための拡散ステップが形成されている。この拡散ステップは、格子状の段差面で構成され、２ｍｍ以下のピッチを有する。
【００３１】
可動側インナーレンズ４８は、可動側灯室２４内の前方部に、可動側第２リフレクタ４７からの反射光を透過するように配置されている。可動側インナーレンズ４８の入射面４８ａおよび／または出射面４８ｂには、透過する光を拡散するための拡散ステップが形成されている。本実施形態において、この拡散ステップは、０．５ｍｍ以下のピッチを有する。可動側インナーレンズ４８を透過した光は、可動側アウターカバー２２を介して灯具前方に照射される。
【００３２】
以上のように構成された可動側灯具ユニット１０４において、可動側第１ＬＥＤ４２、可動側第２ＬＥＤ４３から出射した光は、可動側第１リフレクタ４６の第１反射面４６ａおよび第２反射面４６ｂで反射し、可動側第２リフレクタ４７と向かう。ここで、可動側第１リフレクタ４６の第１反射面４６ａで反射した光は、可動側第２リフレクタ４７の第１領域４７ａに照射され、可動側第１リフレクタ４６の第２反射面４６ｂで反射した光は、可動側第２リフレクタ４７の第２領域４７ｂに照射される。可動側第２リフレクタ４７に照射された光は、可動側第２リフレクタ４７で反射する際に拡散する。そして、可動側第２リフレクタ４７で反射した光は、可動側インナーレンズ４８を透過する際にさらに拡散し、可動側アウターカバー２２を介して灯具前方に照射される。このように、本実施形態に係る可動側灯具ユニット１０４によれば、可動側第１ＬＥＤ４２および可動側第２ＬＥＤ４３による点発光を、可動側第１リフレクタ４６、可動側第２リフレクタ４７および可動側インナーレンズ４８を用いることにより面発光に変換することができる。
【００３３】
本実施形態では、可動側第１リフレクタ４６の第１反射面４６ａおよび第２反射面４６ｂを２段積み重ねることで、可動側第１リフレクタ４６の第１反射面４６ａからの反射光が可動側第２リフレクタ４７の第１領域４７ａに照射され、可動側第１リフレクタ４６の第２反射面４６ｂからの反射光が可動側第２リフレクタ４７の第２領域４７ｂに照射される。このように各反射面が可動側第２リフレクタ４７の異なる領域に光を照射することで、可動側第２リフレクタ４７の幅広い領域で光を反射および拡散させることができるので、横長形状の面発光が可能となる。また、本実施形態では、灯具の奥行き方向に２つの反射面を積み重ねているので、灯具の高さ方向のサイズを抑えることができる。
【００３４】
次に、固定側第１インナーレンズ３４、固定側第２インナーレンズ３６および可動側インナーレンズ４８に形成された拡散ステップの一例を示す。図４は、インナーレンズ７０の入射面７０ａの一部の斜視図である。また、図５（ａ）はインナーレンズ７０の一部の正面図であり、図５（ｂ）はインナーレンズ７０の一部の断面図である。
【００３５】
図４並びに図５（ａ）および（ｂ）に示すように、インナーレンズ７０の入射面７０ａには、複数の凸状の魚眼ステップ７２が格子状に形成されている。各魚眼ステップ７２は、正面視において四角形状を有し、断面視において凸曲面を有している。複数の魚眼ステップ７２は、入射した光を屈折して拡散させる機能を有する。図５（ｂ）に、インナーレンズ７０の入射面７０ａに入射し、出射面７０ｂから出射する光線Ｌ１，Ｌ２を示す。
【００３６】
本実施形態のインナーレンズにおいては、複数の魚眼ステップ７２のピッチＰは、０．５ｍｍ以下とされている。本実施形態では、直交する２つの配列方向のピッチは同一であるが、これらは異なっていてもよい。魚眼ステップのピッチＰを０．５ｍｍ以下とすることにより、インナーレンズへの入射光を好適に拡散させることができるので、点発光から面発光への変換を好適に実現することができる。
【００３７】
図６は、インナーレンズに形成されるステップの変形例を示す。図６に示すように、インナーレンズ９０の入射面９０ａには、複数の凸状のシリンドリカルステップ９２が所定方向に並んで配置されてもよい。あるいは、凹状のシリンドリカルステップが所定方向に並んで配置されてもよい。この場合も、複数のシリンドリカルステップ９２は、０．５ｍｍ以下のピッチＰを有する。これにより、インナーレンズへの入射光を好適に拡散させることができるので、点発光から面発光への変換を好適に実現することができる。入射面９０ａに代えて又は加えて、出射面９０ｂにシリンドリカルステップが形成されてもよい。
【００３８】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３９】
１０  固定側ランプボディ、  １２  固定側アウターカバー、  １４  固定側灯室、  １６  固定側テールランプ、  １８  ターンシグナルランプ、  ２０  可動側ランプボディ、  ２２  可動側アウターカバー、  ２４  可動側灯室、  ２６  可動側テールランプ、  ２８  バックアップランプ、  ３０  固定側ＬＥＤ、  ３２  固定側基板、  ３４  固定側第１インナーレンズ、  ３６  固定側第２インナーレンズ、  ３８  固定側リフレクタ、  ４０  エクステンション、  ４２  可動側第１ＬＥＤ、  ４３  可動側第２ＬＥＤ、  ４４  可動側第１基板、  ４５  可動側第２基板、  ４６  可動側第１リフレクタ、  ４７  可動側第２リフレクタ、  ４８  可動側インナーレンズ、  １００  リアコンビネーションランプ、  １０２  固定側灯具ユニット、  １０４  可動側灯具ユニット。
【図１】
2015076249.tif 000003
【図２】
2015076249.tif 000004
【図３】
2015076249.tif 000005
【図４】
2015076249.tif 000006
【図５】
2015076249.tif 000007
【図６】
2015076249.tif 000008